(57)【要約】      （修正有）【課題】濡れた傘を一時的に閉じた時に生じる半閉じ形態を防止し、画一的なデザインによる他人の傘との混同を防止する着脱可能な傘閉じ用バンド体を提供する。【解決手段】バンド基盤部１の両端部に開口筒状部２を設け、開口筒状部２に隣接する各部所のおもて面及び裏面に一対の止着具３を装着したバンド体１２を設け、傘本体の露先チップの一か所を抜きはずした露先支持骨先端部に、開口筒状部２の一方を差し込んだ後、当該チップをもとの位置に戻しはめて固定装着させ、当該バンド体１２で全露先支持骨を柄ネック部所のまわりに巻き付けて結束、止着具３で止めることにより、傘の半閉じ形態を防止すると共に、バンド基盤部１の色や柄及び装飾具７による変化づけや、止着具３の多様化により他人の傘との区別化に役立つと共にアクセサリーとしても楽しむことができる。【選択図】図１
0003195802.tif 000002
【実用新案登録請求の範囲】
【請求項１】
傘本体（１１）とは別体の、長さ１００ｍｍ〜１８０ｍｍ、幅５ｍｍ〜２０ｍｍの耐水性または防水性素材から成るバンド基盤部（１）を設け、バンド基盤部（１）両端部には内径３ｍｍ〜７ｍｍの開口筒状部（２）になるように折り返し縫製部（１３）を施し、一方の折り返し縫製部（１３）に隣接するおもて面及び他方の折り返し縫製部（１３）に隣接する裏面に一対の止着具（３）を装着させた長さ９０ｍｍ〜１５０ｍｍから成るバンド体（１２）を設け、当該バンド体（１２）の一方端の開口筒状部（２）を傘本体（１１）の露先チップ（４）の一か所を抜きはずした後の露先支持骨先端部（５）に差し込んだ後、当該露先チップ（４）をもとの位置に戻しはめて固定装着させることにより、傘本体（１１）とバンド体（１２）を一体化させることが可能になり、当該バンド体（１２）で柄ネック部所（６）に集結させた全露先支持骨（８）を巻き付け結束、止着具（３）で止着させることにより傘の半閉じ形態を防止できる着脱自在な傘閉じ用バンド体（１２）。
【考案の詳細な説明】
【技術分野】
【０００１】
本考案は、取り付け及び取り外し自在な、濡れた傘を一時的に閉じまとめ、且つ個人の目印やアクセサリーともなる着脱自在な傘閉じ用バンド体に関するものである。
【背景技術】
【０００２】
近年多く使用されている外国製の安価な傘や、ビニール傘と呼ばれる類の傘には、コスト面の事情により全露先支持骨を柄ネック部所に集結させて結束させる金具や巻き締めバンドが既成装着されていない物がほとんどであり、傘全体のデザインも画一的なものが多い。
【考案の概要】
【考案が解決しようとする課題】
【０００３】
濡れた傘を一時的に閉じた時、傘本体表布に既存の巻き締めバンドをその都度使用することがほぼないため、半閉じ形態のまま持ち歩いたり乗車する場面が多く、他人との接触範囲を侵害しやすく、水滴で迷惑をかけることになる。且つ、見た目にもまとまりがなく整然としない。また公共の傘置き場では、デザインが画一的なビニール傘においては特に他者との取り違えが多い傾向にある。
【課題を解決するための手段】
【０００４】
本考案は、傘本体（１１）とは別体の、長さ１００ｍｍ〜１８０ｍｍ、幅５ｍｍ〜２０ｍｍの耐水性または防水性素材から成るバンド基盤部（１）を設け、バンド基盤部（１）両端部には内径３ｍｍ〜７ｍｍの開口筒状部（２）になるように折り返し縫製部（１３）を施し、一方の折り返し縫製部（１３）に隣接するおもて面及び他方の折り返し縫製部（１３）に隣接する裏面に一対の止着具（３）を装着させた長さ９０ｍｍ〜１５０ｍｍから成るバンド体（１２）を設け、当該バンド体（１２）の一方端の開口筒状部（２）を傘本体（１１）の露先チップ（４）の一か所を抜きはずした後の露先支持骨先端部（５）に差し込んだ後、当該露先チップ（４）をもとの位置に戻しはめて固定装着させることにより、傘本体（１１）とバンド体（１２）を一体化させることが可能になり、当該バンド体（１２）で柄ネック部所（６）に集結させた全露先支持骨（８）を巻き付け結束、止着具（３）で止着させることにより傘の半閉じ形態を防止できる着脱自在な傘閉じ用バンド体（１２）。
【考案の効果】
【０００５】
上述のように、本考案の着脱自在な傘閉じ用バンド体は、本来の傘としての使用機能を全く損なうことなく、濡れた傘を一時的に閉じた時、傘本体表布に既存の巻き締めバンドを使用することによって、手を濡らしてしまうわずらわしさが解消され、全露先支持骨を整然とまとめ、傘の広がりを少なくすることにより、他人との接触範囲を狭め、水滴で他人に迷惑をかけることを防止できる。またデザインの多様化を期待できるので、個人の傘としての目印になり且つアクセサリーとしても楽しむことができるとともに、マナー向上の効果も期待できる。また何より、取り付け及び取り外しが簡単且つ自在にできることにより、傘への愛着もわき、おのずと大切に扱うようになるという付加価値も期待できる。
【図面の簡単な説明】
【０００６】
【図１】本考案のバンド体を示す図であり、（ａ）はバンド基盤部の図、（ｂ）はバンド体の全体図。
【図２】本考案のバンド体を使用しない場合の傘の半閉じ形態を示す図。
【図３】本考案のバンド体の使用状態を示す図であり、（ａ）は露先チップの一か所を抜きはずした後の露先支持骨先端部にバンド体を差し込んだ図、（ｂ）はバンド体を差し込んだ後に当該露先チップをもとの位置に戻しはめて固定装着させた図、（ｃ）はバンド体で全露先支持骨を柄ネック部所に集結させて結束及び止着させた図、（ｄ）はバンド体を装着させた傘を開いた図。
【考案を実施するための形態】
【０００７】
本考案の実施形態を図面に従って説明する。
【実施例】
【０００８】
図１ａのバンド基盤部１は、ナイロン素材や耐水性及び防水性に富んだ素材から成る。図１bのバンド体１２は、図1ａのバンド基盤部１の両端部を開口筒状部２になるように折り返し縫製部１３を施し、折り返し縫製部１３に隣接する各部所に一対の止着具３をおもて面及び裏面に装着し、一対の止着具３の間に施された装飾具７から成る。ここで言う、止着具３が折り返し縫製部１３に隣接するとは、止着具３が折り返し縫製部１３にかかる場合、及び止着具３が折り返し縫製部１３にかからない場合の両方を含むものとする。また、止着具3とはボタンやマグネットや面ファスナーを示す。
【０００９】
濡れた傘を一時的に閉じて持ち歩く時、あるいは乗車する時など、傘本体１１の表布に既存の巻き締めバンド１０をその都度使用すると、手を濡らしてしまうという煩わしさもあり一般的ではない。
【００１０】
しかし傘本体１１の表布に既存の巻き締めバンド１０を使用しないことにより全露先支持骨８が中棒９付近に集結せず、図２に示すように半閉じ形態のまま携帯することになり、水滴で他人に迷惑をかけることがある。
【００１１】
そこで、図３ａに示すように、本考案のバンド体１２の一方端の開口筒状部２を、露先チップ４の一か所を抜きはずした露先支持骨先端部５に差し込み、抜きはずした露先チップ４をもとの位置に戻しはめて固定装着させることにより、図３ｂに示すようにバンド体１２が傘本体１１に装着され一体化することができる。
【００１２】
傘の柄ネック部所６で全露先支持骨８を集結させて、当該バンド体１２を巻き付けて結束し、止着具３をはめて止める。
【００１３】
図３ｃに示すように、半閉じ形態であった図２の傘の全露先支持骨８が柄ネック部所６にまとまり、見た目にも整然とすっきりし、他人との接触範囲を狭められる。
【００１４】
また当該バンド体１２の、傘本体１１への取り付け取り外しは、露先チップ４の一か所の抜きはずし、及び戻しはめという簡単且つユニークな方法により誰にでも容易に実行できるので達成感がもたらされる。
【００１５】
一対の止着具３の間には、刺繍やプリントや装飾具７などで変化をつけることができるため、デザインの多様化が期待でき、画一的で他人の物と取り違えやすい傘も個人の目印となり、アクセサリーとしても楽しむことが出来ると共に、愛着がわき大切に扱うようになるという付加価値も期待できる。
【００１６】
当該バンド体１２は、耐久性にも富み、繰り返しの使用も可能である。
【符号の説明】
【００１７】
１    バンド基盤部
２    開口筒状部
３    止着具
４    露先チップ
５    露先支持骨先端部
６    柄ネック部所
７    装飾具
８    露先支持骨
９    中棒
１０  既存の巻き締めバンド
１１  傘本体
１２  バンド体
１３  折り返し縫製部
【図１】
0003195802.tif 000003
【図２】
0003195802.tif 000004
【図３】
0003195802.tif 000005